(57)【要約】【課題】追加的なハードウェアを殆んど必要とせず映像信号の平均明るさによって適応的に輝度値を補正可能な輝度値補正装置および補正方法を提供する。【解決手段】本発明の適応型輝度値補正装置は、入力される映像信号を構成する各画素の画素値分布によるヒストグラムを算出するヒストグラム算出部、各画素別に算出された画素値に対する平均値を算出し、平均値の大きさによって所定の傾きを有する関数を算出する補正値算出部、および算出された関数に基づいて画素値の分布を再設定する画素値補正部を有する。このような輝度値補正装置によれば、入力される映像信号の輝度に適応的に対応して、フリッカ現象が発生せず、追加的に輝度値を補正するための機能を必要とする際、内蔵された関数値を変換してこれを具現することによって追加的なハードウェア構成を必要としない。【選択図】図３
2004274771.tif 000002
【特許請求の範囲】
【請求項１】
入力される映像信号を構成する各画素の画素値分布によるヒストグラムを算出するヒストグラム算出部と、
前記各画素別に算出された画素値に対する平均値を算出し、前記平均値の大きさによって所定の傾きを有する関数を算出する補正値算出部と、
前記算出された関数に基づいて前記画素値の分布を再設定する画素値補正部と
を含むことを特徴とする適応型輝度値補正装置。
【請求項２】
前記画素値補正部は、
前記算出された関数の関数値と前記ヒストグラム算出部で算出されたヒストグラムの各度数とを比較して一部度数を増減するヒストグラム補正部と、
前記画素値補正部によって再構成されたヒストグラムについて累積分布関数を算出する累積分布関数生成部と、
前記累積分布関数に基づいて前記入力される映像信号の画素値を再設定するマッピング部と
を含むことを特徴とする請求項１に記載の適応型輝度値補正装置。
【請求項３】
前記累積分布関数生成部は、
次の数式によって前記ヒストグラムを変換することを特徴とする請求項２に記載の適応型輝度値補正装置。
【数１】
2004274771.tif 000010
ここで、ＣＤＦ（Ｋ）は累積分布関数を示し、ＰＤＦ（ｔ）は確率密度関数を示し、ｔは前記映像信号を画像に具現する際表現可能な最大画素値を示す。
【請求項４】
前記累積分布関数生成部と前記マッピング部との間に備えられ、前記累積分布関数変換部の出力を次の数式によって変換する累積分布関数補正部をさらに含むことを特徴とする請求項３に記載の適応型輝度値補正装置。
【数２】
2004274771.tif 000011
ここで、ＣＤＦ'(Ｋ)は補正された累積分布関数、ＣＤＦ（Ｋ）は補正前累積分布関数、Ｆ（Ｋ）＝(映像信号の総画素数/（Ｎ−１））Ｋ、Ｎ−１は最大画素値、およびＣＤＦ(Ｎ−１)は最大画素値における累積分布関数値を示す。
【請求項５】
前記補正値算出部は、
前記画素値に対する平均画素値を算出する平均値算出部と、
前記算出された平均画素値の範囲を設定する平均値範囲算出部と、
前記算出された平均値の範囲に対応する関数を前記画素値補正部に出力する関数値出力部とを含むことを特徴とする請求項１に記載の適応型輝度値補正装置。
【請求項６】
前記関数は、
単調増加関数、単調減少関数、および定数関数のうちいずれか一つであることを特徴とする請求項１に記載の適応型輝度値補正装置。
【請求項７】
前記画素値は、
輝度値、三原色(Ｒ、Ｇ、Ｂ)信号の階調値、および色差信号(Ｙ、Ｃｂ、Ｃｒ)の階調値のうちいずれか一つであることを特徴とする請求項１に記載の適応型輝度値補正装置。
【請求項８】
入力される映像信号の各画素が有する画素値の分布によるヒストグラムを算出する段階と、
前記検出された画素値に対する平均値を算出し、前記平均値が有する範囲によって所定の傾きを有する関数を算出する段階と、
前記算出された関数に基づいて前記画素値の分布を再設定する段階と
を含むことを特徴とする適応型輝度値補正方法。
【請求項９】
前記画素値の分布を再設定する段階は、
前記算出された関数の関数値と前記算出されたヒストグラムの各度数とを比較して一部度数を増減する段階と、
前記一部度数が増減されたヒストグラムについて累積分布関数を算出する段階と、
前記累積分布関数に基づいて前記入力される映像信号を構成するそれぞれの画素値を再設定する段階と
を含むことを特徴とする請求項８に記載の適応型輝度値補正方法。
【請求項１０】
前記累積分布関数を算出する段階は、
次の数式によって前記累積分布関数を再構成する段階をさらに含むことを特徴とする請求項９に記載の適応型輝度値補正方法。
【数３】
2004274771.tif 000012
ここで、ＣＤＦ'(Ｋ)は補正された累積分布関数、ＣＤＦ（Ｋ）は補正前累積分布関数、Ｆ（Ｋ）＝(映像信号の総画素数/（Ｎ−１））Ｋ、Ｎ−１は最大画素値、およびＣＤＦ(Ｎ−１)は最大画素値における累積分布関数値を示す。
【請求項１１】
前記関数を算出する段階は、
前記画素値に対する平均値を算出する段階と、
前記算出された平均値の範囲を設定する段階と、
前記算出された平均値の範囲に対応する関数を算出する段階と
を含むことを特徴とする請求項８に記載の適応型輝度値補正方法。
【請求項１２】
前記関数は、
単調増加関数、単調減少関数、および定数関数のうちいずれか一つであることを特徴とする請求項８に記載の適応型輝度値補正方法。
【請求項１３】
前記画素値は、
輝度値、三原色(Ｒ、Ｇ、Ｂ)信号の階調値、および色差信号(Ｙ、Ｃｂ、Ｃｒ)の階調値のうちいずれか一つであることを特徴とする請求項８に記載の適応型輝度値補正方法。
【発明の詳細な説明】
【技術分野】
【０００１】
本発明は、輝度値補正装置および補正方法に係り、特に追加的なハードウェアを殆んど必要とせず映像信号の平均明るさによって適応的に輝度値を補正可能な輝度値補正装置および補正方法に関する。
【背景技術】
【０００２】
一般に、ビデオ映像信号を処理する際、映像信号の輝度は照明条件、撮影条件、および映像ディスプレイ装置が有する特性などによって頻繁に偏重したり歪む。映像信号に対する輝度は、同一な映像信号を再生する時もこれを再生する映像ディスプレイ装置によって相異なる場合がある。例えば、相異なる映像ディスプレイ装置が同一な映像信号を印加されこれを再生する際、映像信号に対する輝度はこれをディスプレイする映像ディスプレイ装置の特性によって低輝度領域に対する輝度と高輝度領域に対する輝度値が相異なる。これにより、これを補正するために、通常映像ディスプレイ装置にはＡＧＣ(Automatic Gain Control)装置が内装される。内装されたＡＧＣ装置は、自動、または視聴者によって手動で操作され、映像の輝度を増加させたり減少させる。
【０００３】
図１は、従来の輝度値補正装置のブロック概念図である。
同図によれば、輝度値補正装置は平均値算出部１０、輝度制御部２０、およびマッピング部３０を有する。
平均値算出部１０は、入力映像信号(input)が有する輝度の平均値を算出する。輝度制御部２０は、平均値算出部１０で算出された輝度の平均値が既に設定された輝度値より高いか低ければ入力映像信号(input)が有する輝度に対する出力利得が増減する。すなわち、入力映像信号(input)が有する輝度値を増減する利得関数(gain function)を出力する。
マッピング部(mapping)３０は、入力映像信号(input)を輝度制御部２０から出力される利得関数によってマッピングして出力する。
図２ａおよび図２ｂは、輝度制御部２０から出力される利得関数の形態を示したグラフである。
【０００４】
同図によれば、輝度制御部２０に印加される入力映像信号(input)の輝度が輝度制御部２０に既に貯蔵された輝度値より低ければ、図２ａに示したような利得関数をマッピング部(mapping)３０に出力する。逆に、輝度制御部２０に印加される入力映像信号(input)の輝度が輝度制御部２０に既に貯蔵された輝度値より高ければ、図２ｂに示したような形態の利得関数をマッピング部(mapping)３０に出力する。従って、入力映像信号(input)の変動が殆んどない状況下で映像の一部分が明るいか暗い場合、輝度制御部２０によって入力映像信号(input)を補正して画面にディスプレイする際画面が突然必要以上に明るくなったり暗くなる現象が発生する。
【発明の開示】
【発明が解決しようとする課題】
【０００５】
本発明は、前述した従来の問題点を解決するために案出されたもので、本発明の目的は、ハードウェア的な構成が簡単でありながら入力される映像信号の輝度に適応的に対応する輝度補正装置および方法を提供するところにある。
【課題を解決するための手段】
【０００６】
前述した目的は、本発明によって、入力される映像信号を構成する各画素の画素値分布によるヒストグラムを算出するヒストグラム算出部、前記各画素別に算出された画素値に対する平均値を算出し、前記平均値の大きさによって所定の傾きを有する関数を算出する補正値算出部、および前記算出された関数に基づいて前記画素値の分布を再設定する画素値補正部によって達成される。
【０００７】
好ましくは、画素値補正部は、前記算出された関数の関数値と前記ヒストグラム算出部で算出されたヒストグラムの各度数とを比較して一部度数を増減するヒストグラム補正部、前記画素値補正部によって再構成されたヒストグラムについて累積分布関数を算出する累積分布関数生成部、および前記累積分布関数に基づいて前記入力される映像信号の画素値を再設定するマッピング部を含むことが好ましい。
【０００８】
好ましくは、前記累積分布関数生成部は、次の数式によって前記ヒストグラムを変換することが好ましい。
【数１】
2004274771.tif 000003
ここで、ＣＤＦ（Ｋ）は累積分布関数を示し、ＰＤＦ（ｔ）は確率密度関数を示し、ｔは本前記映像信号を画像で具現する際表現可能な最大画素値を示す。
【０００９】
好ましくは、累積分布関数生成部とマッピング部との間に備えられ、累積分布関数変換部の出力を次の数式によって変換する累積分布関数補正部をさらに含む。
【数２】
2004274771.tif 000004
ここで、ＣＤＦ'(Ｋ)は補正された累積分布関数、ＣＤＦ（Ｋ）は補正前累積分布関数、Ｆ（Ｋ）＝(映像信号の総画素数/（Ｎ−１））Ｋ、Ｎ−１は最大画素値、およびＣＤＦ(Ｎ−１)は最大画素値における累積分布関数値を示す。
【００１０】
好ましくは、前記補正値算出部は、前記画素値に対する平均画素値を算出する平均値算出部、前記算出された平均画素値の範囲を設定する平均値範囲算出部、および前記算出された平均値の範囲に対応する関数を前記画素値補正部に出力する関数値出力部を含むことが好ましい。
好ましくは、関数は単調増加関数、単調減少関数、および定数関数のうちいずれか一つである。
【００１１】
前記画素値は、輝度値、三原色(R、G、B)信号の階調値、および色差信号(Y、Cb、Cr)の階調値のうちいずれか一つであることが好ましい。
前述した目的は、本発明によって、入力される映像信号の各画素が有する画素値の分布によるヒストグラムを算出する段階、前記検出された画素値に対する平均値を算出し、前記平均値が有する範囲によって所定の傾きを有する関数を算出する段階、および前記算出された関数に基づいて前記画素値の分布を再設定する段階によって達成される。
【００１２】
前記画素値の分布を再設定する段階は、前記算出された関数の関数値と前記算出されたヒストグラムの各度数とを比較して一部度数を増減する段階、前記一部度数が増減されるヒストグラムについて累積分布関数を算出する段階、および前記累積分布関数に基づいて前記入力される映像信号を構成するそれぞれの画素値を再設定する段階を含むことが好ましい。好ましくは、累積分布関数を算出する段階は、次の数式によって累積分布関数を再構成する段階をさらに含む、
【数３】
2004274771.tif 000005
ここで、ＣＤＦ'(Ｋ)は補正された累積分布関数、ＣＤＦ（Ｋ）は補正前累積分布関数、Ｆ（Ｋ）＝(映像信号の総画素数/（Ｎ−１））Ｋ、Ｎ−１は最大画素値、およびＣＤＦ(Ｎ−１)は最大画素値における累積分布関数値を示す。
【００１３】
前記関数を算出する段階は、前記画素値に対する平均値を算出する段階、前記算出された平均値の範囲を設定する段階、および前記算出された平均値の範囲に対応する関数を算出する段階を含むことが好ましい。
前記関数は、単調増加関数、単調減少関数、および定数関数のうちいずれか一つであることが好ましい。
前記画素値は、輝度値、三原色(R、G、B)信号の階調値、および色差信号(Y、Cb、Cr)の階調値のうちいずれか一つであることが好ましい。
【発明の効果】
【００１４】
本発明は追加的に輝度値を補正するための機能を必要とする際、内蔵された関数値を変換することによって追加的なハードウェア構成を必要としない。また、少なくとも一つ以上の内蔵された関数を輝度区間別に適用することによって、映像信号の輝度を補正する際急激な輝度変化が発生しないため、本発明の輝度値補正装置を映像ディスプレイ装置に適用する際画質が劣化しなくなる。
【発明を実施するための最良の形態】
【００１５】
［実施例］
図３は、本発明の輝度値補正装置の好ましい一実施形態によるブロック概念図である。示された輝度値補正装置は、ヒストグラム算出部(PDF)１００、補正値算出部２００、輝度値補正部(BUBO)３００、累積分布関数生成部(ＣＤＦ)４００、累積分布関数補正部４１０、およびマッピング部(mapping)５００を有する。
【００１６】
ヒストグラム算出部(PDF)１００は、入力映像信号(input)を構成するそれぞれの画素が有する画素値を検出し、これに基づいてヒストグラム(PDF)を算出する。ヒストグラム算出部(PDF)１００は、入力映像信号(input)を構成するそれぞれの画素が有する画素値を検出し、これに基づいてヒストグラム(PDF)を算出する。ここで、画素値は、輝度値、三原色(R、G、B)信号の階調値、および色差信号(Y、Cb、Cr)の階調値のうちいずれか一つになれる。階調値は色相(hue)、彩度(saturation)、および輝度に対する階調値のうちいずれか一つになれる。これを通常の８ビットで表現する際、それぞれの色相(R、G、B)および彩度は２５６(２８)段階で表現され、輝度値もそれぞれ２５６段階で表現することができ、色差信号を構成するＹ、Ｃｂ、ＣＲ信号もそれぞれ８ビットで表現することができる。これにより、映像信号(input)による輝度値変化について前述した輝度値、三原色信号の階調値、および色差信号の階調値が可変され、これらについてヒストグラムを算出する際、入力される映像信号(input)の輝度値変化に対応するヒストグラムが得られる。
【００１７】
以下、本発明の輝度値補正装置は入力映像信号(input)の輝度値を主に説明し、前記三原色(R、G、B)の色相および色差信号の階調値についても同様に適用可能であることを明らかにしておく。補正値算出部２００は、ヒストグラムに基づいて輝度値の平均値を求め、求められた平均値を既に設定された範囲と比較する。また、補正値算出部２００は、既に設定された範囲による関数を内蔵し、比較結果に基づいてそれぞれ違う関数を輝度値補正部(BUBO)３００に出力する。
【００１８】
輝度値補正部(BUBO)３００は、補正値算出部２００から出力される関数に基づいて、ヒストグラム算出部(PDF)１００から出力されるヒストグラムを変換する。変換されたヒストグラムは、輝度値補正部(BUBO)３００に出力された関数と比較され、関数値より小さい値は関数値にマッピングされる。
累積分布関数生成部(ＣＤＦ)４００は、輝度値補正部(BUBO)３００から出力されるヒストグラム(PDF)を順次に累積して演算する。この際、累積分布関数(ＣＤＦ)は下記の（式１）のように定義される。
【００１９】
【数４】
2004274771.tif 000006
ここで、ｉ＝０、１、２、３…
【００２０】
累積分布関数補正部４１０は、累積分布関数生成部(ＣＤＦ)４００で演算された累積分布関数(ＣＤＦ)の関数値最大値が入力される映像信号(input)が有する画素の総個数になるよう補正し、累積分布関数算出部(ＣＤＦ)４００で演算された累積分布関数を補正後、これをノーマライジング(normalizing)する。ノーマライジングは輝度レベルと画素の個数に対する関数である累積分布関数を、入力映像信号(input)の輝度レベルとそれに対応する出力輝度レベルに対する関数に変換する。累積分布関数の補正とノーマライジングはそれぞれ下記の（式２）と（式３）の通りである。
【００２１】
【数５】
2004274771.tif 000007
ここで、ＣＤＦ'(Ｋ)は、補正された累積分布関数、ＣＤＦ（Ｋ）は、補正前の累積分布関数、Ｆ（Ｋ）＝(映像信号の総画素数/（Ｎ−１））Ｋ、Ｎ−１は、最大輝度値、およびＣＤＦ(Ｎ−１)は最、大輝度値における累積分布関数値を示す。
【００２２】
【数６】
2004274771.tif 000008
ここで、Ｇ(Ｋ)は、ノーマライジングされた累積分布関数、すなわちマッピング関数を示し、ＣＤＦ'(Ｋ)は、補正された累積分布関数を示す。
【００２３】
マッピング部(mapping)５００は、累積分布関数補正部４１０でノーマライジングされた結果に基づいて入力映像信号(input)を構成する各画素の輝度をマッピングする。
図４は、図３の補正値算出部２００の詳細なブロック概念図である。
示された補正値算出部２００は、平均値算出部２１０、平均値範囲検出部２２０、および関数値出力部２３０を有する。
【００２４】
平均値算出部２１０は、ヒストグラム算出部(PDF)１００から印加されたヒストグラムに基づいて入力映像信号(input)の平均輝度値を算出する。平均値範囲検出部２２０は、平均値算出部２１０で算出された平均輝度値がいずれの輝度範囲に位置するのかを検出する。下記の表１は、平均値算出部２１０の動作概念を説明するためのもので、０〜２５５範囲の輝度値を４段階に分け、それぞれの段階に対応する関数を示す。
【００２５】
【表１】
2004274771.tif 000009
【００２６】
表１に示したように、平均値は、０〜３０、３１〜１００、１０１〜１５９、および１６０〜２５５の場合によってそれぞれ対応する関数を有する。もし、平均値算出部２１０から出力される平均値が２０ならば、対応する関数は、ｙ＝−ａｘ＋ｂの形態を有し、１６０〜２５５の範囲を有する時は、ｙ＝ｆｘ＋ｇの形態を有する。ここで、表１は、平均値範囲算出部２２０の動作概念を説明するために４等分したが、本実施形態は、これに限らない。関数値出力部２３０は、平均輝度値が位置する範囲に対応する関数を内蔵し、対応する関数を輝度値補正部(BUBO)３００に出力する。
【００２７】
図５ａないし図５ｃは、輝度値補正部(BUBO)３００の動作概念を説明するための図である。
まず、図５ａは、ヒストグラム算出部(PDF)１００から出力される映像信号のヒストグラムを示す。示したヒストグラムの平均値は、平均値算出部２１０で８０の輝度値を有すると仮定する。
【００２８】
図５ｂは、平均値算出部２１０で算出された平均輝度値が８０の時対応する関数とヒストグラムを並んで示した図である。この際、輝度値補正部(BUBO)３００は、補正値算出部２００から印加される関数値とヒストグラムとを比較して、関数値に未達のヒストグラムの度数値を増加させる。図５ｃは、関数値に未達のヒストグラムの度数値を増加させた結果を示した図である。示した通り、ヒストグラムで輝度値が低い領域の度数値が増加し、増加された度数値によって入力映像信号(input)の全体輝度は上昇する。この際、関数(例えば、ｙ＝−ａｘ＋ｂ)は単調減少するので、ヒストグラムで度数値が増加する際輝度値が高い領域と低い領域が同時に補償されるため、このように補正された映像信号を画面のようなディスプレイ装置に具現する際、画面が急激に明るくならず輝度補正が行われる。
【００２９】
図６ａないし図６ｃは、平均値算出部２１０から算出された平均輝度値が１７０の時対応する関数とヒストグラムを共に示した図である。この際の平均輝度値に対応する関数は、表１に示したように、ｙ ＝ｆｘ＋ｇの形態を有し、輝度値補正部(BUBO)３００は、ヒストグラムと関数値を比較して関数値に未達のヒストグラムの度数値を増加させる。この際、増加される度数値は、ヒストグラムで輝度レベルが低い領域、すなわち暗い領域になり、この領域の輝度値を増加させ入力される映像信号の全体的な明るさを減少させる。この際、関数(例えば、ｙ＝ｆｘ＋ｇ)によって輝度が低い領域と高い領域が同時に補償されるため、このように補正された映像信号を画面のようなディスプレイ装置に具現する際、画面が急激に暗くならず輝度補正が行われる。すなわち、本発明に係る輝度補正装置によって補正された映像信号は、これを画面に具現する際、画面が急激に明るくなったり暗くならない。また、それぞれの区間によって関数を適用して輝度値を補正できるため、追加的に輝度値補正を必要とする場合、輝度値補正のために別の追加ハードウェアを具備する必要がない。
【００３０】
図７は、本発明に係る適応型輝度値補正方法の好ましい一実施形態を示す順序図である。
まず、ヒストグラム算出部(PDF)１００は、入力映像信号(input)を構成するそれぞれの画素が有する画素値を検出し、これに基づいてヒストグラム(PDF)を算出する(Ｓ１００)。ヒストグラム算出部(PDF)１００は、入力映像信号(input)を構成するそれぞれの画素が有する画素値を検出し、これに基づいてヒストグラム(PDF)を算出する。ここで、画素値は、輝度値、三原色(R、G、B)信号の階調値、および色差信号(Y、Cb、Cr)の階調値のうちいずれか一つになれる。階調値は、色相(hue)、彩度(saturation)、および輝度に対する階調値のうちいずれか一つになれる。これを通常の８ビットで表現する際、それぞれの色相(R、G、B)および彩度は２５６(２８)段階で表現され、輝度値もそれぞれ２５６段階で表現することができ、色差信号を構成するＹ、Ｃｂ、Ｃｒ信号もそれぞれ８ビットで表現することができる。これにより、映像信号(input)による輝度値変化について前述した輝度値、三原色信号の階調値、および色差信号の階調値が可変され、これらについてヒストグラムを算出する際、入力される映像信号(input)の輝度値変化に対応するヒストグラムが得られる。
【００３１】
以下、本発明の輝度値補正装置は入力映像信号(input)の輝度値を主に説明し、前記三原色(R、G、B)の色相および色差信号の階調値についても同様に適用可能であることを明らかにしておく。次いで、平均値算出部２１０は、算出されたヒストグラムから平均輝度値を求める(Ｓ２００)。この際の平均輝度値は、ヒストグラム上に分布された輝度値を全て足した後、全画素の個数で割った値になる。次いで、平均値範囲検出部２２０は、０〜２５５レベルの輝度値のうち平均輝度値がいずれの範囲に位置するかを検出する。この際、平均値範囲検出部２２０は、０〜２５５レベルを有する輝度レベルを４〜１０個の範囲(例えば、０〜３０、３１〜１００、１０１〜１５９、および１５９〜２５５等)に分け、平均輝度値がこのうちいずれの範囲に属するかを検出する。次いで、関数値出力部２３０は、平均値範囲検出部２２０で検出された範囲に対応する関数による関数値を輝度値補正部(BUBO)３００に出力する(Ｓ３００)。ここで、関数は、単調増加または単調減少関数である。輝度値補正部(BUBO)３００は、関数値出力部２３０から出力される関数値をヒストグラム算出部(PDF)１００から出力されるヒストグラムと比較し(Ｓ４００)、比較結果ヒストグラムの度数値が関数値より小さい場合、これを増減して関数値にマッピングさせマッピングされたヒストグラムを累積分布関数演算部に出力する(Ｓ５００)。累積分布関数演算部は、輝度値補正部(BUBO)３００によって補正されたヒストグラムを累積演算して累積分布関数を算出する(Ｓ６００)。この際、輝度値補正部(BUBO)３００でヒストグラムを補正時、特定輝度の度数が増減するようになるため、これに基づいて累積分布関数を算出する際、累積分布関数の最終累積値が入力映像信号(input)が有する画素値を越えたり未達するようになる。従って、累積分布関数補正部４１０は、累積分布関数生成部(ＣＤＦ)４００で演算された累積分布関数(ＣＤＦ)の関数値最大値が入力される映像信号(input)が有する画素の総個数になるよう補正し、補正された累積分布関数を入力される輝度値について出力される輝度値の関係に変換する。ノーマライジングは前記[数３]によって具現される。
【００３２】
最後に、マッピング部(mapping)５００は、入力映像信号(input)をノーマライジングされた累積分布関数に基づいてマッピングする(Ｓ７００)。従って、本発明は、輝度値補正時、補正値算出部２００から出力される関数によって輝度値補正部(BUBO)３００を制御するようになるため、輝度値を補正するための機能を追加する際、追加的なハードウェアを必要としない。本発明に係る輝度補正装置および方法は、補正値算出部２００に内蔵された関数を変更したり変換することによってこれを解決することができる。
【００３３】
本発明は前述したように、追加的に輝度値を補正するための機能を必要とする際、内蔵された関数値を変換することによって追加的なハードウェア構成を必要としない。また、少なくとも一つ以上の内蔵された関数を輝度区間別に適用することによって、映像信号の輝度を補正時急激な輝度変化が発生しないため、本発明の輝度値補正装置を映像ディスプレイ装置に適用する際、画質が劣化しない。
【産業上の利用可能性】
【００３４】
追加的なハードウェアを殆んど必要とせず映像信号の平均明るさによって適応的に輝度値を補正可能な輝度値補正装置および補正方法に適用できる。
【図面の簡単な説明】
【００３５】
【図１】従来の輝度値補正装置のブロック概念図である。
【図２Ａ】図１の輝度制御部から出力される累積分布関数の形態を示すグラフである。
【図２Ｂ】図１の輝度制御部から出力される累積分布関数の形態を示すグラフである。
【図３】本発明に係る輝度値補正装置の好ましい一実施形態によるブロック概念図である。
【図４】図３の補正値算出部の詳細なブロック概念図である。
【図５Ａ】図３の輝度値補正部の動作概念を説明するための図である。
【図５Ｂ】図３の輝度値補正部の動作概念を説明するための図である。
【図５Ｃ】図３の輝度値補正部の動作概念を説明するための図である。
【図６Ａ】図３の輝度値補正部の動作概念を説明するための図である。
【図６Ｂ】図３の輝度値補正部の動作概念を説明するための図である。
【図６Ｃ】図３の輝度値補正部の動作概念を説明するための図である。
【図７】本発明に係る適応型輝度値補正方法の好ましい一実施形態を示す順序図である。
【符号の説明】
【００３６】
１００…ヒストグラム算出部(PDF)
２００…補正値算出部
２１０…平均値算出部
２２０…平均値範囲検出部
２３０…関数値出力部
３００…輝度値補正部(BUBO)
４００…累積分布関数生成部(ＣＤＦ)
４１０…累積分布関数補正部
５００…マッピング部(mapping)
【図１】
2004274771.tif 000013
【図２Ａ】
2004274771.tif 000014
【図２Ｂ】
2004274771.tif 000015
【図３】
2004274771.tif 000016
【図４】
2004274771.tif 000017
【図５Ａ】
2004274771.tif 000018
【図５Ｂ】
2004274771.tif 000019
【図５Ｃ】
2004274771.tif 000020
【図６Ａ】
2004274771.tif 000021
【図６Ｂ】
2004274771.tif 000022
【図６Ｃ】
2004274771.tif 000023
【図７】
2004274771.tif 000024